(57)【要約】【課題】演色性及び輝度が高い白色発光を得ることができる白色発光装置を提供する。  本発明による白色発光装置は、各種の表示装置、好ましくは携帯電話、携帯情報端末、電子辞書、デジタルカメラ、コンピュータ、照明機器およびこれらの周辺機器等のように、小型化、軽量化、薄型化、省電力化、および高輝度ならびに良好な演色性が特に求められる機器の表示装置等に特に適している。【解決手段】  紫外線半導体発光素子と波長変換材料からなる第一の発光素子と、赤色半導体発光素子からなる第二の発光素子とが配置されたことを特徴とする白色発光装置、および前記の白色発光装置を用いてなることを特徴とするバックライト、表示装置並びに照明装置。 【選択図】図１
2008235458.tif 000002
【特許請求の範囲】
【請求項１】
紫外線半導体発光素子と波長変換材料からなる第一の発光素子と、赤色半導体発光素子からなる第二の発光素子とが配置されたことを特徴とする、白色発光装置。
【請求項２】
前記の紫外線半導体発光素子が、その発光スペクトルにおいて３６０ｎｍ以上４４０ｎｍの紫外線波長領域内にピーク波長を有するものである、請求項１に記載の白色発光装置。
【請求項３】
前記の波長変換材料が青色蛍光体と緑色蛍光体とを含む、請求項１または２に記載の白
色発光装置。
【請求項４】
前記の第一の発光素子が、その発光スペクトルにおいて４４０ｎｍ以上４６０ｎｍ以下の青色部の波長領域内にピーク波長を有しかつ５１０ｎｍ以上５３０ｎｍ以下の緑色部の波長領域内にピーク波長を有するものである、請求項１〜３のいずれか１項に記載の白色発光装置。 
【請求項５】
前記の第二の発光素子が、その発光スペクトルにおいて５８５〜６３０ｎｍの赤色部の波長領域内にピーク波長を有するものである、請求項１〜４のいずれか１項に記載の白色発光装置。 
【請求項６】
前記の第一の発光素子とそれに隣接する前記の第二の発光素子との間隔が３ｍｍ以下である、請求項１〜５のいずれか１項に記載の白色発光装置。
【請求項７】
前記の請求項１〜６のいずれか１項に記載の白色発光装置を用いてなることを特徴とする、バックライト。
【請求項８】
前記の請求項７に記載のバックライトを用いてなることを特徴とする、表示装置。
【請求項９】
前記の請求項１〜６のいずれか１項に記載の白色発光装置を用いてなることを特徴とする、照明装置。
【発明の詳細な説明】
【技術分野】
【０００１】
本発明は、白色発光装置、これを用いてなるバックライトおよび表示装置に関するものである。さらに詳細には、本発明は、演色性および輝度が良好な白色発光装置、これを用いてなるバックライトおよび表示装置並びに照明装置に関するものである。
【背景技術】
【０００２】
化合物半導体チップを用いたＬＥＤ（Light Emitting Diode；発光ダイオード）において白色発光を得るためには、通常青色ＬＥＤに黄色発光を有する波長変換材料（黄色蛍光体）を組み合わせた物が用いられる。しかし、この場合、赤色成分が不足していることから演色性が低いことが問題である。
【０００３】
ＬＥＤを用いたバックライト液晶表示装置に関する技術は、特開２００３−３１５７９６号公報によって提案されている。このバックライト液晶表示装置は、特に医用画像表示装置に関するものであって、主光源として白色ＬＥＤを用い、補助光源として赤色ＬＥＤを用いるものである。しかし、この技術では、医用画像表示装置として赤味がかった画像を忠実に再現するために、赤色を補強することを目的として赤色ＬＥＤを用いているのであって、白色ＬＥＤの演色性の改善や向上を図ることは何らなされていない。そして、用いられている白色ＬＥＤは、具体的には青色ＬＥＤ上に黄色発光の蛍光体を被せたものであって、紫外線発光のＬＥＤについては何ら記載されていない。
【特許文献１】特開２００３−３１５７９６号公報
【発明の開示】
【発明が解決しようとする課題】
【０００４】
例えば上記の特許文献に記載されるような、青色ＬＥＤに黄色発光を有する蛍光材料を組み合わせて発光させた白色は疑似白色と呼ばれることがあるが、このような青色ＬＥＤと蛍光材料から発光された疑似白色は見る方向によっては黄色っぽく見えたり、黄色や青色のムラが現れたりすることがあった。
【０００５】
これに対し、赤、緑、青の三色の発光色から形成された白色は演色性が良好なものである。そこで、紫外線ＬＥＤに、青色、緑色、赤色を発光させる蛍光体を組み合わせて演色性を高めた白色ＬＥＤが検討されている。しかしながら、現在のところ紫外線ＬＥＤの波長で効率の良い赤色発光蛍光体が得られていないため、輝度が低いという問題がある。また、青色、緑色、赤色の蛍光体を用いたＬＥＤ３本を１組（１モジュール）とした白色発光装置では、各ＬＥＤの個体差、各色蛍光体の発光バランスの調整ならびに各ＬＥＤの制御等が難しいことから、演色性および輝度が高い白色発光を得ることは容易でなかった。また、１モジュールを小型化することが困難なので、ある程度距離を離して観察しないと各色が分光して見えることがあり、そして、発光装置を小型化、軽量化することが難しかった。
【課題を解決するための手段】
【０００６】
本発明は上記課題を解決するものであって、紫外線半導体発光素子と波長変換材料からなる第一の発光素子と、赤色半導体発光素子からなる第二の発光素子とが配置されたことを特徴とする白色発光装置に係るものである。
【０００７】
このような本発明による白色発光装置は、好ましい態様として、前記の紫外線半導体発光素子が、その発光スペクトルにおいて３６０ｎｍ以上４４０ｎｍの紫外線波長領域内にピーク波長を有するもの、を包含する。
【０００８】
このような本発明による白色発光装置は、好ましい態様として、前記の波長変換材料が青色蛍光体と緑色蛍光体とを含むもの、を包含する。
【０００９】
このような本発明による白色発光装置は、好ましい態様として、前記の第一の発光素子が、その発光スペクトルにおいて４４０ｎｍ以上４６０ｎｍ以下の青色部の波長領域内にピーク波長を有しかつ５１０ｎｍ以上５３０ｎｍ以下の緑色部の波長領域内にピーク波長を有するもの、を包含する。
【００１０】
このような本発明による白色発光装置は、好ましい態様として、前記の第二の発光素子が、その発光スペクトルにおいて５８５〜６３０ｎｍの赤色部の波長領域内にピーク波長を有するもの、を包含する。
【００１１】
このような本発明による白色発光装置は、好ましい態様として、前記の第一の発光素子とそれに隣接する前記の第二の発光素子との間隔が３ｍｍ以下であるもの、を包含する。
【００１２】
そして、本発明によるバックライトは、前記いずれかの白色発光装置を用いてなることを特徴とするもの、である。
【００１３】
さらに、本発明による表示装置は、前記のバックライトを用いてなることを特徴とするもの、である。
【００１４】
また、本発明による照明装置は前記の白色発光装置を用いてなることを特徴とするもの、である。
【発明の効果】
【００１５】
本発明による白色発光装置は 紫外線半導体発光素子と波長変換材料からなる第一の発光素子と、赤色半導体発光素子からなる第二の発光素子とが配置されたものであることから、演色性が良好でかつ輝度が高いものである。
【００１６】
そして、本発明による白色発光装置では、第一の発光素子と第二の発光素子とをそれぞれ最低１個ずつを用いることによって白色発光の最小の構成単位（モジュール）とすることができることから、白色発光装置の小型化を図ることができる。また、各モジュールの大きさが小さいことから、単位面積中に設置可能なモジュールの数を増やすことができる。よって、更なる輝度の向上を図ることが可能になる。
【００１７】
従って、本発明による白色発光装置は、その優れた特性をいかして各用途に利用することができる。
【発明を実施するための最良の形態】
【００１８】
＜白色発光装置＞
本発明による白色発光装置は、紫外線半導体発光素子と波長変換材料からなる第一の発光素子と、赤色半導体発光素子からなる第二の発光素子とが配置されたことを特徴とするものである。
【００１９】
<< 第一の発光素子>> 
上記の本発明による白色発光装置における第一の発光素子は、紫外線半導体発光素子と波長変換材料からなるものである。特に、高度の演色性を得るためには、第一の発光素子は、その発光スペクトルにおいて４４０ｎｍ以上４６０ｎｍ以下の青色部の波長領域内にピーク波長を有しかつ５１０ｎｍ以上５３０ｎｍ以下の緑色部の波長領域内にピーク波長を有するものが好ましい。とりわけ、青色部の波長領域内に存在するピークが半値幅５０ｎｍ以下であるもの、および（または）緑色部の波長領域内に存在するピークが半値幅５０ｎｍ以下であるものが特に好ましい。
【００２０】
また、前述の青色部および緑色部の波長領域内にピーク波長を具備させる方法としては後述する波長変換材料（蛍光体）を用いることが好ましい。
【００２１】
紫外線半導体発光素子
紫外線半導体発光素子としては、様々なものを利用することができる。そのような紫外線半導体発光素子としては、その発光スペクトルにおいて３６０ｎｍ以上４４０ｎｍの紫外線波長領域内にピーク波長を有するもの、が好ましい。また、さらに好ましくはピーク波長３８０ｎｍ以上４１０ｎｍ以下である。そのよう紫外線半導体発光素子の具体例としては、例えばＩｎＧａＮ系、ＧａＮ系、ＡｌＧａＮ系のダイオードや半導体レーザなどを挙げることができる。このように、３６０ｎｍ以上４４０ｎｍの紫外線波長領域内にピーク波長を有する紫外線半導体発光素子を用いることにより、後述の波長変換材料との組み合わせにより、高輝度かつ演色性のより優れた白色発光装置を得ることができる。
【００２２】
波長変換材料
本発明での波長変換材料は、青色蛍光体と緑色蛍光体とを含むことができる。
【００２３】
本発明において好ましい青色発色蛍光体としては、その発光スペクトルにおいて４４０ｎｍ以上４６０ｎｍ以下の青色部の波長領域内にピーク波長を有するものが好ましい。そのような好ましい青色発色蛍光体の具体例としては、下記一般式（Ｉ）で表されるユーロピウム付活ハロ燐酸塩蛍光体を挙げることができる。  
（Ｓｒ１−ｘ−ｙＢａｘＣａｙＥｕｚ）１０（ＰＯ４）６・Ｃｌ２     （Ｉ）
［式中、ｘ、ｙ、ｚは、ｘ＜０．２、ｙ＜０．１、０．００５＜ｚ＜０．１である。この式（Ｉ）において、ｘおよびｙは、０（ゼロ）を含む］ 
【００２４】
本発明において特に好ましい青色発色蛍光体には、下記のものが含まれる。
（１）（Ｓｒ０．９９Ｅｕ０．０１）１０（ＰＯ４）２・Ｃｌ２ 
（２）（Ｓｒ０．９７Ｃａ０．０２Ｅｕ０．０１）１０ＰＯ４）２・Ｃｌ２ 
（３）（Ｓｒ０．９７Ｅｕ０．０１）１０ＰＯ４）２・Ｃｌ２ 
（４）（Ｓｒ０．７５Ｂａ０．２３Ｃａ０．０１Ｅｕ０．０１）１０ＰＯ４）２・Ｃｌ２
（５）（Ｓｒ０．９８Ｅｕ０．０２）１０ＰＯ４）２・Ｃｌ２ 
（６）（Ｓｒ０．９９Ｅｕ０．０３）１０（ＰＯ４）２・Ｃｌ２
【００２５】
これらの青色蛍光体は、ピーク波長３６０ｎ ｍ以上４４ ０ｎｍ以下の紫外線半導体素子との組合せで４４０ｎｍ 以上４６０ｎ ｍ以下のピーク波長を得、かつピーク波長の半値幅を５０ｎｍ以下にできる。
【００２６】
また、本発明において好ましい緑色発色蛍光体としては、その発光スペクトルにおいて５１０ｎｍ以上５３０ｎｍ以下の緑色部の波長領域内にピーク波長を有するものが好ましい。そのような好ましい緑色発色蛍光体の具体例としては、下記一般式（II）で表されるユーロピウム、マンガン付活アルミン酸塩蛍光体を挙げることができる。 
（Ｂａ１−ｘ−ｙ−ｚＳｒｘＣａＥｕｚ）（Ｍｇ１−ｕＭｎｕ）Ａｌ１０Ｏ１７   （II）
［式中、ｘ、ｙ、ｚ、ｕは、ｘ＜０．５、ｙ＜０．１、０．１５＜ｚ＜０．４、０．３＜ｕ＜０．６、この式（II ）において、ｘおよびｙは、０（ゼロ）を含む］
【００２７】
本発明において特に好ましい緑色発色蛍光体には、下記のものが含まれる。
（１）（Ｂａ０．７２６Ｅｕ０．２７４）（Ｍｇ０．５５Ｍｎ０．４５）Ａｌ１０Ｏ１７
（２）（Ｂａ０．７２６Ｅｕ０．２７４）（Ｍｇ０．５０Ｍｎ０．５０）Ａｌ１０Ｏ１７
（３）（Ｂａ０．２５Ｓｒ０．４７５Ｅｕ０．２７５）（Ｍｇ０．５５Ｍｎ０．４５）Ａｌ１０Ｏ１７
（４）（Ｂａ０．７５６Ｅｕ０．２７４）（Ｍｇ０．５５Ｍｎ０．４５）Ａｌ１０Ｏ１７
（５）（Ｂａ０．７５６Ｅｕ０．２７４）（Ｍｇ０．６０Ｍｎ０．４０）Ａｌ１０Ｏ１７
（６）（Ｂａ０．３５Ｓｒ０．３７５Ｅｕ０．２７５）（Ｍｇ０．５５Ｍｎ０．４５）Ａｌ１０Ｏ１７
（７）（Ｂａ０．７５Ｅｕ０．２５）（Ｍｇ０．５５Ｍｎ０．４５）Ａｌ１０Ｏ１７
（８）（Ｂａ０．７２６Ｅｕ０．２７４）（Ｍｇ０．５５Ｍｎ０．４５）Ａｌ１０Ｏ１７
【００２８】
これらの緑色蛍光体は、ピーク波長３６０ｎｍ以上４４０ｎｍ以下の紫外線半導体素子との組合せで５１０ｎｍ以上５３０ｎｍ以下のピーク波長を得、かつピーク波長の半値幅を５０ｎｍ以下にできる。  
【００２９】
以上のようにピーク波長の半値幅が５０ｎｍ以下の青色蛍光体および緑色蛍光体を用いると、より演色性が向上する。
【００３０】
上記の青色発色蛍光体および緑色発色蛍光体の両者とも、平均粒径は特に限定されるものではないが、平均粒径３μｍ以上が好ましい。平均粒径が３μｍ以上、つまり粒径が大きい方が高輝度を得やすい。平均粒径の上限については特に限定は無く、本発明による白色発光装置の構造にあわせて適宜決めることができるが、あまり大きすぎると均一に混ざりにくいことから上限は平均粒径５０μｍ以下が好ましい。また、青色発色蛍光体と緑色発色蛍光体との混合比率については、第一の発光素子として適当な色度となるような比率であれば任意であるが、青色発色蛍光体３０〜７０重量％、緑色発色蛍光体７０〜３０重量％の範囲内が好ましい。
【００３１】
第一の発光素子の製造
製造方法は特に限定されないが、本発明では、例えば、各色の蛍光体粉末をそれぞれ樹脂と混合した後、各色の樹脂との混合体を混ぜ合わせ混合蛍光体を作製する方法や、予め各色の蛍光体粉末同士を混合した後、樹脂と混ぜ合わせ混合蛍光体を作製する方法等が好ましい。
【００３２】
なお、本発明では、上記の青色発色蛍光体および緑色発色蛍光体以外の第三の蛍光体、例えば赤色発色蛍光体等、を配合することも可能であるが、多くの場合、そのような第三の発色蛍光体を配合することによる有用性は通常認められず、また第三の発色蛍光体の存在によって輝度等が低下する場合がある。よって、本発明の第一の発光素子における波長変換材料は、実質的に波長変換材料として青色発色蛍光体および緑色発色蛍光体のみを含むものが好ましい。
【００３３】
本発明の白色発光装置における第一の発光素子は、紫外線半導体発光素子によって発生させた紫外線の作用によって上記の波長変換材料が蛍光を発するように構成されている。
【００３４】
青色発色蛍光体および緑色発色蛍光体を設ける場所および設置方法は任意である。例えば、青色発色蛍光体と緑色発色蛍光体とをそれぞれ別々の位置に設けることも出来るし、青色発色蛍光体および緑色発色蛍光体の両者を粉体状で例えば適当なバインダー樹脂中に混合し、これらの混合物の状態で設けることができる。本発明では、特に後者、即ち、青色発色蛍光体および緑色発色蛍光体の両者を粉体状でバインダー樹脂と混合し、この混合物の状態で青色発色蛍光体および緑色発色蛍光体導体を設けることが好ましい。
【００３５】
そして、本発明では、紫外線半導体発光素子の表面部に前記の波長変換材料を直接設け、紫外線半導体発光素子から発せられた紫外線がこの波長変換材料を照射ないし透過する際に所定の青色発光および緑色発光がなされるように構成することが好ましい。
【００３６】
従って、本発明での第一の発光素子は、粉末状の青色発色蛍光体および緑色発色蛍光体導体と適当な透明樹脂バインダーとを混合し、これらを紫外線半導体発光素子の表面に例えば塗布するなどによって直接設けることが好ましい。また、樹脂としてはシリコーン樹脂、エポキシ樹脂などの透明樹脂が挙げられる。
【００３７】
<< 第二の発光素子>> 
上記の本発明による白色発光装置における第二の発光素子は、赤色半導体発光素子からなるものである。
【００３８】
赤色半導体発光素子としては、様々なものを利用することができる。そのような赤色半導体発光素子としては、その発光スペクトルにおいて５８５〜６３０ｎｍの赤色部の波長領域内にピーク波長を有するものが好ましい。そのようものの具体例としては、例えば赤色発光ＬＥＤ、例えばＧａＡｓ系、ＧａＡｌＡｓ系ＬＥＤおよび光半導体レーザーなどを挙げることができる。
【００３９】
＜白色発光装置＞
本発明による白色発光装置は、紫外線半導体発光素子と波長変換材料からなる第一の発光素子と、赤色半導体発光素子からなる第二の発光素子とが配置されたものである。従って、本発明による白色発光装置では、少なくとも１個の第一の発光素子と少なくとも１個の赤色半導体発光素子とからなるものである。
【００４０】
本発明による白色発光装置は、このように２個の発光素子を白色発光の最小の構成単位（モジュール）としていることから、従来の３つの発光素子からなる三色発光による白色発光装置に比べて、装置の小型化、薄型化を図ることが容易である。また、本発明による白色発光装置では、第一の発光素子と第二の発光素子とを、例えば第一の発光素子とそれに隣接する前記の第二の発光素子との間隔が好ましくは３ｍｍ以下となるように、特に好ましくは１ｍｍ以下となるように、極めて接近して設けることができ、かつ、第一の発光素子と第二の発光素子とからなる白色発光の最小の構成単位（モジュール）についても接近して設けることができるので、極めて輝度が高い白色発光装置を得ることができる。
【００４１】
第一の発光素子と第二の発光素子の間隔は近いほど均一な白色が得られるので好ましいが、あまり近づき過ぎると接続配線のパターニングが難しくなるので製造性を考慮すると  第一の発光素子と第二の発光素子の間隔は０．０５ｍｍ以上であることが好ましい。
【００４２】
本発明による白色発光装置によれば、小型化が可能で演色性および輝度に優れた白色光を得ることができる。
【００４３】
図１は、本発明による好ましい白色発光装置における白色発光の最小の構成単位（モジュール）の断面を模式的に示すものである。図１に示されるように、本発明による好ましい白色発光装置における白色発光の最小の構成単位（モジュール）１は、紫外線半導体発光素子２と波長変換材料３からなる第一の発光素子４と、赤色半導体発光素子からなる第二の発光素子５とが配置されたものである。なお、この波長変換材料３は、粉体状の青色発色蛍光体と粉体状の緑色発色蛍光体とを含むものであって、両発色蛍光体の粉体を透明樹脂材料中に混合した樹脂組成物を塗布することによって、紫外線半導体発光素子２の表面に形成されたものである。図１に示される本発明による好ましい白色発光装置では、第一の発光素子４に印加された電気エネルギーは、紫外線半導体発光素子により紫外線に変換され、この紫外線に作用により波長変換材料３が所定の青色部および緑色部にピーク波長を有する可視光に変換される。この可視光と第二の発光素子４から発せられた所定の赤色光とから形成された白色光がモジュール外部へ放出されることになる。この白色光は、疑似白色とは異なって、赤、緑、青の三色の発光色から形成されたものなので、演色性が良好なものである。
【００４４】
図１に示される好ましい態様においては、第一の発光素子４と第二の発光素子５とを同一の凹部内に収容して、その凹部内壁面（凹部の側壁面および底面を含む）６の少なくとも一部、好ましくは全面を、白色あるいは反射性の材料によって形成することによって、白色発光装置の明るさをより向上させることができる。
【００４５】
本発明による白色発光装置は、上記のように第一の発光素子と第二の発光素子との少なくとも２個の発光素子を白色発光の最小の構成単位（モジュール）とするものであって、この構成単位（モジュール）を平面的に、あるいは場合により三次元的に、規則的あるいは不規則的に、繰り返し配置することによって、所望の大きさ、面積の白色発光装置とすることができるものである。
【００４６】
なお、本発明による白色発光装置は、常に第一の発光素子１個と第二の発光素子１個との２個の発光素子とを白色発光の最小の構成単位（モジュール）とするもののみに限定されることはない。即ち、本発明による白色発光装置には、複数の第一の発光素子と複数の第二の発光素子とを白色発光の構成単位（モジュール）とするものが包含される。また、白色発光の構成単位（モジュール）内に存在する第一の発光素子と第二の発光素子との数も常に同一である必要はない。例えば、白色発光の構成単位（モジュール）内において、第一の発光素子を第二の発光素子よりも多く用いることもできるし、逆に第二の発光素子を第一の発光素子よりも多く用いることもできる。また、各モジュールは、第一の発光素子と第二の発光素子との内容、両発光素子の数ならびにその配置において、同一であっても異なっていてもよい。例えば、第一の発光素子の両サイドに第二の発光素子、または第二の発光素子の両サイドに第１の発光素子を配置する形態が挙げられる。
【００４７】
本発明による白色発光装置は、紫外線半導体発光素子と波長変換材料からなる第一の発光素子と、赤色半導体発光素子からなる第二の発光素子とが配置されたものであることから、演色性が良好でかつ輝度が高いものである。そして、本発明による白色発光装置では、第一の発光素子と第二の発光素子とをそれぞれ最低１個ずつ用いることによって白色発光の最小の構成単位（モジュール）とすることができることから、白色発光装置の小型化を図ることができる。また、各モジュールの大きさが小さいことから、単位面積中に設置可能なモジュールの数を増やすことができる。よって、各モジュール当たりに輝度が高いこと、および各モジュールの設置個数ないし設置密度が高いことにより、更なる輝度の向上を図ることが可能である。
【００４８】
また、図１では凹部を有するモジュール基板を用いてるが、モジュール基板は平板であってもよく、平板上に複数の第一の発光素子および第二の発光素子を配置して大型のモジュールを構成しても良い。
【００４９】
よって、本発明による白色発光装置は、その優れた特性をいかして各用途に利用することができる。本発明の効果が特に顕著に認められるものとしては、各種の表示装置、好ましくは、例えば携帯電話、携帯情報端末、電子辞書、デジタルカメラ、コンピュータ、照明機器およびこれらの周辺機器等のように、小型化、軽量化、薄型化、省電力化、及び太陽光の中でも良好な視認性が得られるような高輝度ならびに良好な演色性が特に求められる機器の表示装置、における発光装置等を挙げることができる。特に第一の発光素子と第二の発光素子の距離を３ｍｍ以下、さらには１ｍｍ以下と近づけることにより小型化が可能となることから、１５インチ以下の小型表示装置に特に好適である。
【００５０】
また、本発明による白色発光装置は照明装置としても有効である。照明装置としては、室内灯、室外灯などの一般照明装置が挙げられる。その他、携帯電話やＯＡ機器等の電子機器のスイッチ部の照明にも適用できる。
【実施例】
【００５１】
＜実施例１＞
図１に示される本発明による白色発光装置を下記方法によって作製した。  
【００５２】
まず、紫外線半導体素子としてピーク波長４００ｎｍのＵＶ−ＬＥＤを用意し、青色蛍光体として平均粒径５μｍの（Ｓｒ０．９９Ｅｕ０．０１）１０（ＰＯ４）２・Ｃｌ２蛍光体、緑色蛍光体として平均粒径５μｍ の（Ｂａ０．７２６Ｅｕ０．２７４）（Ｍｇ０．５０Ｍｎ０．５０）Ａｌ１０Ｏ１７蛍光体を用意し、シリコーン樹脂と混合しＵＶ−ＬＥＤの発光面に厚さ１ｍｍとなるよう塗布・硬化させた。実施例で用いた蛍光体はいずれもピーク波長の半値幅が５０ｎｍ以下のものである。
【００５３】
次にＵＶ−ＬＥＤから１ｍｍ離れたところに第二の発光素子として赤色発光ＬＥＤ（Ｒ−ＬＥＤ）を配置することにより、実施例１に係る白色発光装置を調製した。
【００５４】
上記で得られた白色発光装置の輝度、色再現性、を下記方法によって評価した。結果は、表１に示される通りである。
輝度 ：全光束測定法を用い、白色発光装置を４０ｍＡで発光させｌａｂｓｈｅｒｅ 社製１０インチ積分球（ＤＡＳ−２１００）を用いて測定。
色再現性：白色発光装置を複数個用いて１５インチの液晶表示装置を組立て、Ｉｎｓｔｒｕｍｅｎｔ Ｓｙｓｔｅｍｓ社製ＣＡＳ１４０ ＣＯＭＰＡＣＴ ＡＲＲＡＹ ＳＰＥＣＴＲＯＭＥＴＥＲを用いＮＴＳＣの面積を１００としたときの面積比を求めた。
【００５５】
＜実施例２〜４＞
ＬＥＤのピーク波長および各種蛍光体などを表１の通りに変更した以外は実施例１と同様にして本発明による白色発光装置を作製し、実施例１と同様に各白色発光装置を評価した。結果は、表１に示される通りである。
【００５６】
＜比較例１＞
ピーク波長４５０ｎｍの青色発光ダイオード（Ｂ−ＬＥＤ）上に平均粒径５μｍのＹＡＧ蛍光体（黄色蛍光体）を用いて白色発光装置を作製し、実施例１と同様に評価した。結果は、表１に示される通りである。
【表１】
2008235458.tif 000003
【００５７】
上記の表１から明らになるように、本発明による白色発光装置は比較例の発光装置に比べて、輝度が１４．８％以上向上し、色再現性が３０．８％以上向上するものである。
【００５８】
よって、本発明によれば、輝度および色再現性が良好な白色発光装置を得ることができる。また、実施例２はＵＶ−ＬＥＤのピーク波長が３３０ｎｍと出力が著しく低く、実施例４は第一の発光素子と第二の発光素子の間隔が５ｍｍと広いため輝度や色再現性が低下した。
【００５９】
このような白色発光装置を照明装置に適用しても同様の効果が得られた。
【図面の簡単な説明】
【００６０】
【図１】本発明による好ましい白色発光装置における白色発光の最小の構成単位（モジュール）の断面を模式的に示す図
【符号の説明】
【００６１】
１ 白色発光の最小の構成単位（モジュール）
２ 紫外線半導体発光素子
３ 波長変換材料
４ 第一の発光素子
５ 第二の発光素子
【図１】
2008235458.tif 000004